(57)【要約】【課題】  眼鏡装用者個々人に最適な専用の眼鏡レンズまたは眼鏡を製作できること。【解決手段】  被検者の眼鏡装用パラメータを測定する眼鏡装用パラメータ測定装置３０において、眼鏡フレームを装用した被検者を遠方視または近方視状態の各測定位置に設定する可動ユニット３４、光源５６及びレンズ６０と、遠方視または近方視状態に設定された被検者を撮影し、その画像を取り込む撮像カメラ６２及び６３と、この得られた撮像画像に基づき眼鏡装用パラメータを計測し演算する装置制御用端末３２とを有し、上記眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであり、更に、装置制御用端末は、眼鏡装用パラメータと眼鏡レンズデータと眼鏡フレームデータを用いて、眼鏡レンズの眼鏡フレームに対するレイアウト情報を決定するものである。【選択図】            図２
2007093636.tif 000002
【特許請求の範囲】
【請求項１】
眼鏡装用者に適した眼鏡を作製するために必要な眼鏡装用パラメータを測定する眼鏡装用パラメータ測定装置において、
眼鏡フレームを装用した眼鏡装用者を遠方視状態または近方視状態に設定し、この近方視状態では、眼球回旋角と近方視目的距離の少なくとも一方を任意に変更可能とする固視手段と、この固視手段により遠方視状態または近方視状態に設定された眼鏡装用者を撮影装置により撮影し、その画像を取り込む画像入力手段と、この画像入力手段によって得られた撮像画像に基づき上記眼鏡装用パラメータを計測し演算する計測演算手段とを有し、
上記計測演算手段が計測し演算する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであり、
更に、上記計測演算手段により得られた眼鏡装用パラメータと、レンズの屈折率、眼鏡レンズ形状データ、眼鏡レンズ処方データ、レイアウトマークデータのうちのいずれかを含む眼鏡レンズのレンズ情報と、玉型形状データ、玉型中心間距離、フレームあおり角のうちのいずれかを含む眼鏡フレームのフレーム情報とを用いて、上記眼鏡レンズの眼鏡フレームに対するレイアウト情報を決定するレイアウト手段を有することを特徴とする眼鏡装用パラメータ測定装置。
【請求項２】
上記計測演算手段による遠方視瞳孔間距離と近方視瞳孔間距離の計測において、
フレーム情報による玉型形状データのフレーム形状を眼鏡装用者の撮影画像上に描画させる描画手段と、この描画手段によって描画されたフレーム形状を上記撮影画像上のフレーム画像に略一致するように移動させる移動手段とを有し、
上記撮影画像上の左右眼の各瞳孔中心位置と上記玉型形状データの上記フレーム形状とから左右眼個別の片眼遠方視瞳孔間距離を算出し、片眼近方視瞳孔間距離を算出することを特徴とする請求項１に記載の眼鏡装用パラメータ測定装置。
【請求項３】
上記レイアウト手段は、眼鏡装用者の撮影画像上にフレーム情報による玉型形状データのフレーム形状を描画し、更にレイアウトマークを有する所望の眼鏡レンズの画像を描画して重ね合せ、当該レイアウト手段が決定するレイアウト情報には、眼鏡フレームと上記眼鏡レンズの組合せの適否を確認して当該眼鏡レンズを決定することが含まれることを特徴とする請求項１または２に記載の眼鏡装用パラメータ測定装置。
【請求項４】
上記レイアウト手段で得られた眼鏡レンズの眼鏡フレームに対するレイアウト情報に基づきレンズ加工情報を算出する加工演算手段を有することを特徴とする請求項１乃至３のいずれかに記載の眼鏡装用パラメータ測定装置。
【請求項５】
上記加工演算手段は、眼鏡レンズの眼鏡フレームに対するレイアウト情報から、上記眼鏡レンズの基準点と上記眼鏡フレームの玉型中心との位置ずれ量、または上記眼鏡レンズの基準点と上記眼鏡フレームのアンダーリム間の距離等に基づいて、レンズ加工情報を算出することを特徴とする請求項４に記載の眼鏡装用パラメータ測定装置。
【請求項６】
上記加工演算手段で得られたレンズ加工情報には、少なくともレンズ加工治具を固定する位置情報が含まれることを特徴とする請求項４または５に記載の眼鏡装用パラメータ測定装置。
【請求項７】
請求項１乃至６のいずれかに記載の眼鏡装用パラメータ測定装置により測定された眼鏡装用パラメータのうち、少なくとも一つを用いて光学設計を行ない、眼鏡レンズの眼鏡フレームに対するレイアウト情報に基づいて加工されて作製されることを特徴とする眼鏡レンズ。
【請求項８】
請求項７に記載の眼鏡レンズを用いて作製されることを特徴とする眼鏡。
【発明の詳細な説明】
【技術分野】
【０００１】
本発明は、眼鏡フレームを装用した眼鏡装用者の画像を撮像し、その画像から眼鏡を作製するために必要とされる様々な眼鏡装用パラメータを測定し、眼鏡レンズの眼鏡フレームに対するレイアウト情報を決定等する眼鏡装用パラメータ測定装置、眼鏡レンズ及び眼鏡に関する。
【背景技術】
【０００２】
眼鏡の作製では、眼鏡処方値と眼鏡フレームの選択と眼鏡装用者に関連した様々な眼鏡装用パラメータとに応じて光学設計を行い、その設計値に基づいて製造された眼鏡レンズを眼鏡フレームの形状に合わせて枠入れするように切削することが必要である。眼鏡装用者に関連した眼鏡装用パラメータとしては、遠方視瞳孔間距離、近方視瞳孔間距離、遠方視装用距離（頂点間距離）、眼鏡フレーム装用角度等である。
【０００３】
従来より、この眼鏡装用パラメータの測定には様々な光学的測定方法が知られている。例えば、眼鏡店において主にピューピロメータ（ＰＤメータ）を使用し、眼鏡装用パラメータとして眼鏡装用者の遠方視瞳孔間距離と近方視瞳孔間距離を測定していた。この方法は、ある程度正確な値が得られるが、眼鏡装用者に不自然な姿勢を要求して装置を覗き込ませるため、自然な眼鏡装用環境と異なり、測定値にばらつきがあった。
【０００４】
こうした欠点を克服した装置として、特許文献１に記載されたCarl Zeiss社のVideo-Infralが知られている。この装置は眼鏡店で使用され、２台のビデオカメラと１枚の反射鏡とを使用して、眼鏡装用者の正面画像と側面画像を得る。眼鏡装用者の眼の中心位置を決定するために、これらの画像上でマウス型ポインティンデバイスを使用して、眼鏡フレーム形状に接する接線を矩形状にトレースする。その後、眼鏡装用者の正面画像上において、眼鏡フレームを基準とする眼鏡装用者の瞳孔の相対的位置、つまり眼鏡装用パラメータとしての遠方視瞳孔間距離を測定する。更に、眼鏡装用者の側面画像上において垂直線を基準としたときの眼鏡フレームの傾斜角(つまり、眼鏡装用パラメータとしての眼鏡フレーム装用角度)と、眼鏡フレームの位置を基準とした角膜頂点までの距離である頂点間距離(つまり、眼鏡装用パラメータとしての遠方視眼鏡装用距離)とを測定する。
【特許文献１】特開平８−４７４８１号公報(第３頁)
【発明の開示】
【発明が解決しようとする課題】
【０００５】
特許文献１に記載の従来の装置によれば、主に遠方視瞳孔間距離、眼鏡フレーム装用角度および頂点間距離が測定されるが、このうちの頂点間距離は眼鏡フレームの立体的形状を考慮していないため、実際には眼鏡装用パラメータとしての遠方視眼鏡装用距離とは言えず、この数値を有効に用いることができない。つまり、眼鏡装用パラメータとしての遠方視眼鏡装用距離、近方視眼鏡装用距離を計測し計算するには、フレームあおり角等の眼鏡フレームの立体的形状に関するデータが必要であり、このデータを用いて遠方視眼鏡装用距離、近方視眼鏡装用距離を計測し計算する装置はこれまでに存在しなかった。
【０００６】
また、特許文献１に記載の装置では、累進屈折力レンズをはじめとした眼鏡レンズに必要な近方視に関する眼鏡装用パラメータである近方視眼鏡装用距離、近方視時における眼球回旋角及び近方視目的距離を計測し設定することができない。さらに、この近方視状態における眼球回旋角及び近方視目的距離を眼鏡装用者に応じて変更し、眼鏡装用者に最適な近方視状態を検出し、その状態で眼鏡装用者を撮影する装置も存在しなかった。
【０００７】
また、眼鏡装用者個々人の処方に応じた屈折力補正用眼鏡レンズ（累進屈折力レンズ、多焦点レンズ、近用専用単焦点レンズ、単焦点レンズ等）を作製するために必要な眼鏡装用パラメータを選択して測定できる装置も存在しなかった。
【０００８】
本発明の目的は、上述の事情を考慮してなされたものであり、眼鏡の作製に必要な眼鏡装用パラメータを高精度に測定し、この眼鏡装用パラメータの計測値、眼鏡レンズのレンズ情報及び眼鏡フレームのフレーム情報を用いて、眼鏡レンズの眼鏡フレームに対するレイアウト情報を得ることで、眼鏡装用者個々人に最適な専用の眼鏡レンズまたは眼鏡を製作できる眼鏡装用パラメータ測定装置を提供することにある。
【課題を解決するための手段】
【０００９】
請求項１に記載の発明に係る眼鏡装用パラメータ測定装置は、眼鏡装用者に適した眼鏡を作製するために必要な眼鏡装用パラメータを測定する眼鏡装用パラメータ測定装置において、眼鏡フレームを装用した眼鏡装用者を遠方視状態または近方視状態に設定し、この近方視状態では、眼球回旋角と近方視目的距離の少なくとも一方を任意に変更可能とする固視手段と、この固視手段により遠方視状態または近方視状態に設定された眼鏡装用者を撮影装置により撮影し、その画像を取り込む画像入力手段と、この画像入力手段によって得られた撮像画像に基づき上記眼鏡装用パラメータを計測し演算する計測演算手段とを有し、上記計測演算手段が計測し演算する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであり、更に、上記計測演算手段により得られた眼鏡装用パラメータと、レンズの屈折率、眼鏡レンズ形状データ、眼鏡レンズ処方データ、レイアウトマークデータのうちのいずれかを含む眼鏡レンズのレンズ情報と、玉型形状データ、玉型中心間距離、フレームあおり角のうちのいずれかを含む眼鏡フレームのフレーム情報とを用いて、上記眼鏡レンズの眼鏡フレームに対するレイアウト情報を決定するレイアウト手段を有することを特徴とするものである。
【００１０】
請求項２に記載の発明に係る眼鏡装用パラメータ測定装置は、請求項１に記載の発明において、上記計測演算手段による遠方視瞳孔間距離と近方視瞳孔間距離の計測において、フレーム情報による玉型形状データのフレーム形状を眼鏡装用者の撮影画像上に描画させる描画手段と、この描画手段によって描画されたフレーム形状を上記撮影画像上のフレーム画像に略一致するように移動させる移動手段とを有し、上記撮影画像上の左右眼の各瞳孔中心位置と上記玉型形状データの上記フレーム形状とから左右眼個別の片眼遠方視瞳孔間距離を算出し、片眼近方視瞳孔間距離を算出することを特徴とするものである。
【００１１】
請求項３に記載の発明に係る眼鏡装用パラメータ測定装置は、請求項１または２に記載の発明において、上記レイアウト手段は、眼鏡装用者の撮影画像上にフレーム情報による玉型形状データのフレーム形状を描画し、更にレイアウトマークを有する所望の眼鏡レンズの画像を描画して重ね合せ、当該レイアウト手段が決定するレイアウト情報には、眼鏡フレームと上記眼鏡レンズの組合せの適否を確認して当該眼鏡レンズを決定することが含まれることを特徴とするものである。
【００１２】
請求項４に記載の発明に係る眼鏡装用パラメータ測定装置は、請求項１乃至３のいずれかに記載の発明において、上記レイアウト手段で得られた眼鏡レンズの眼鏡フレームに対するレイアウト情報に基づきレンズ加工情報を算出する加工演算手段を有することを特徴とするものである。
【００１３】
請求項５に記載の発明に係る眼鏡装用パラメータ測定装置は、請求項４に記載の発明において、上記加工演算手段は、眼鏡レンズの眼鏡フレームに対するレイアウト情報から、上記眼鏡レンズの基準点と上記眼鏡フレームの玉型中心との位置ずれ量、または上記眼鏡レンズの基準点と上記眼鏡フレームのアンダーリム間の距離等に基づいて、レンズ加工情報を算出することを特徴とするものである。
【００１４】
請求項６に記載の発明に係る眼鏡装用パラメータ測定装置は、請求項４または５に記載の発明において、上記加工演算手段で得られたレンズ加工情報には、少なくともレンズ加工治具を固定する位置情報が含まれることを特徴とするものである。
【００１５】
請求項７に記載の発明に係る眼鏡レンズは、請求項１乃至６のいずれかに記載の眼鏡装用パラメータ測定装置により測定された眼鏡装用パラメータのうち、少なくとも一つを用いて光学設計を行ない、眼鏡レンズの眼鏡フレームに対するレイアウト情報に基づいて加工されて作製されることを特徴とするものである。
【００１６】
請求項８に記載の発明に係る眼鏡は、請求項７に記載の眼鏡レンズを用いて作製されることを特徴とするものである。
【発明の効果】
【００１７】
請求項１に記載の発明によれば、眼鏡装用者を遠方視状態または近方視状態に設定し、この近方視状態では、眼球回旋角と近方視目的距離の少なくとも一方を任意に変更可能とする固視手段と、この固視手段により遠方視状態または近方視状態に設定された眼鏡装用者を撮影装置により撮影し、その画像を取り込む画像入力手段と、この画像入力手段によって得られた撮像画像に基づき上記眼鏡装用パラメータを計測し演算する計測演算手段と、を有することから、遠方視と近方視の眼鏡装用パラメータを高精度に測定できる。
【００１８】
また、レイアウト手段が、計測演算手段によって得られた眼鏡装用パラメータの計測値と、眼鏡レンズのレンズ情報と、眼鏡フレームのフレーム情報とを用いて、眼鏡レンズの眼鏡フレームに対するレイアウトが可能であるかのレイアウト情報を決定することから、眼鏡装用者個々人に最適な専用の眼鏡レンズを設計して眼鏡を製作することができる。
【００１９】
更に、眼鏡レンズのレンズ情報には、レンズの屈折率、眼鏡レンズ処方データ、眼鏡レンズ形状データ、レイアウトマークデータのうちのいずれかが含まれるので、実際の眼鏡レンズを装用した状態でレイアウト情報の演算が可能になり、特に累進屈折力レンズのような場合にも、眼鏡レンズの眼鏡フレームに対するレイアウト状態を良好に確認することができる。
【００２０】
また、眼鏡フレームのフレーム情報には、玉型形状データ、玉型中心間距離、フレームあおり角のうちのいずれかが含まれることから、遠方視眼鏡装用距離及び近方視眼鏡装用距離を、眼鏡フレームの立体形状を考慮して算出することができる。このため、計測された遠方視眼鏡装用距離、近方視眼鏡装用距離のそれぞれを上記立体形状により修正することで、これらの遠方視眼鏡装用距離及び近方視眼鏡装用距離を高精度に測定することができる。
【００２１】
請求項２に記載の発明によれば、眼鏡装用パラメータの遠方視瞳孔間距離と近方視瞳孔間距離の計測に際し、描画手段と移動手段とによって、フレーム情報による玉型形状データのフレーム形状を撮影画像上のフレーム画像に略一致させる。この結果、玉型形状データのフレーム形状のブリッジ中央位置と撮影画像上の左右眼の瞳孔中心位置との距離を正確に計測でき、左右眼個別の片眼遠方視瞳孔間距離を高精度に計測することができ、近方視瞳孔間距離を高精度に算出できる。
【００２２】
請求項３に記載の発明によれば、レイアウト手段によって、眼鏡装用者の撮影画像上にフレーム情報による玉型形状データのフレーム形状を描画し、更にレイアウトマークを有する所望の眼鏡レンズの画像を描画して重ね合せ、眼鏡フレームと上記眼鏡レンズの組合せの適否を確認して当該眼鏡レンズを決定することから、眼鏡フレームに最適な眼鏡レンズを選択することで、眼鏡装用者の個々人に最適な専用の眼鏡を提供することができる。
【００２３】
請求項４または５に記載の発明によれば、眼鏡レンズの眼鏡フレームに対するレイアウト情報に基づき、加工演算手段がレンズ加工情報を算出することから、眼鏡装用者の個々人に最適な専用の眼鏡レンズを加工し、眼鏡を作製することができる。
【００２４】
請求項６に記載の発明によれば、レンズ加工情報に、少なくともレンズ加工治具を固定する位置情報(芯取り位置)が含まれることから、この位置情報に基づいて正確な芯取りを実施して、眼鏡レンズの縁摺り加工を実施できる。
【００２５】
請求項７に記載の発明によれば、眼鏡装用パラメータ測定装置により高精度に測定された眼鏡装用パラメータを用いて光学設計を行ない、眼鏡レンズの眼鏡フレームに対するレイアウト情報に基づいて加工して眼鏡レンズが作製されるので、この眼鏡レンズを、眼鏡装用パラメータが測定された眼鏡装用者の個々人に最適な専用の眼鏡レンズとすることができる。
【００２６】
請求項８に記載の発明によれば、高精度に測定された眼鏡装用パラメータを用いて光学設計を行ない、眼鏡レンズの眼鏡フレームに対するレイアウト情報に基づいて加工して眼鏡レンズが作製されるので、この眼鏡レンズを眼鏡フレームに装着した眼鏡は、眼鏡装用パラメータが測定された眼鏡装用者の個々人に最適な専用の眼鏡とすることができる。
【発明を実施するための最良の形態】
【００２７】
以下、本発明を実施するための最良の形態を、図面に基づき説明する。
図１は、本発明に係る眼鏡装用パラメータ測定装置の一実施の形態と他の機器との接続関係を示す図であって、眼鏡店または眼科医院等における通信回線図である。図２は、図１における眼鏡装用パラメータ測定装置を、一部を破断して示す側面図である。図３は、図２のIII矢視図である。
【００２８】
図１に示す眼鏡装用パラメータ測定装置３０は、眼鏡装用者に適した眼鏡を作製するための眼鏡装用パラメータを測定し、眼鏡レンズの眼鏡フレームに対するレイアウト情報を決定し、レンズ加工情報を算出するものであり、測定装置本体３１と装置制御用端末３２とを有して構成される。ここで、上記眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つである。これらの眼鏡装用パラメータを、図２１〜図２３を用いて以下に説明する。
【００２９】
遠方視瞳孔間距離とは、５ｍ以上の遠方を注視しているときの左眼８２と右眼８３の瞳孔間距離であり、図２２における遠方視正面画像のＦＰＤである。近方視瞳孔間距離とは、近方視目的距離（通常は２０〜６０ｃｍ程度）にある対象物を注視したときの左眼８２と右眼８３の瞳孔間距離であり、図２２における近方視正面画像のＮＰＤである。遠方視装用距離（頂点間距離）とは、図２１において、眼鏡装用者の遠方視軸１７上における眼鏡レンズ１３の裏面から当該眼鏡装用者の眼球(被検眼１１)の角膜頂点までの距離であり、図中のＡである。近方視装用距離とは、図２１において、眼鏡装用者の近方視軸１８上における眼鏡レンズ１３の裏面から当該眼鏡装用者の眼球(被検眼１１)の角膜頂点までの距離であり、図中のＢである。また図中のＶＲは被検眼１１の角膜頂点から眼球回旋点１２までの距離を示す。
【００３０】
一般に、近方視状態（たとえば読書）においては、眼鏡装用者である被検者は、眼球(被検眼１１)の回旋点１２を中心に被検眼１１を回旋し、視線を下げて近方視目標(近方視目的物)を観察する。眼球回旋角θとは、回旋点１２を中心に遠方視軸１７から近方視軸１８まで視線を下げたときに両視軸１７、１８がなす角度である。近方視目的距離とは、近方視状態において近方視目的物を観察するときの眼(被検眼１１)から近方視目的物までの距離であり、図中のＮＬである。尚、図中のＦＬは、遠方視状態において遠方視目的物を観察するときの眼(被検眼１１)から遠方視目的物までの距離である。
【００３１】
図２３に示すように、眼鏡フレーム１４のテンプル１６とリム１５のなす角度を一般にフレーム傾斜角と言うが、本実施形態における眼鏡フレーム装用角度は、遠方視状態での眼鏡装用者の遠方視軸１７を光軸とし、その光軸に垂直な直線と眼鏡フレーム１４のリム１５で形成される玉型のなす角度αを言うこととする。また、フレームあおり角とは、各眼鏡フレーム１４によって異なり、図２４において、眼鏡フレーム１４を真上から観察したときにリム１５で形成される玉型がブリッジ１９に対してなす角度βを言う。
【００３２】
さて、前記測定装置本体３１は、図２に示すように、湾曲形状の一対の軌道フレーム３６を備えたフレームユニット３３と、軌道フレーム３６上を移動する可動ユニット３４と、眼鏡装用者である被検者１０の顔を位置決めする位置決めユニット３５とを有して構成される。
【００３３】
フレームユニット３３は、基台３７に支柱フレーム３８が立設され、上記軌道フレーム３６が基台３７に立設されると共に支柱フレーム３８に立て掛けられて支持される。各軌道フレーム３６の軌道面にラックレール３９が敷設されている。
上記基台３７には、図３にも示すように、位置決めユニット３５の位置決めメインフレーム４０及び位置決めサブフレーム４１が立設される。位置決めメインフレーム４０の上部に、被検者１０の顎を載せる顎受け台４２と、被検者１０の額を当てる額当て部４３が設けられる。額当て部４３は、額当て支柱４４を介して顎受け台４２に支持され、この額当て支柱４４に、被検者１０の眼の高さを一致させるための基準マーク４５が設けられている。
【００３４】
ところで、前記可動ユニット３４のユニットフレーム４６には、図４及び図５に示すように、同期回転可能な一対の駆動ギア４７が回転自在に配設され、この駆動ギア４７の図における上方に、同じく一対の駆動ギア４８が回転自在に配設される。これらの駆動ギア４７及び４８が軌道フレーム３６のラックレール３９に噛み合っている。また、ユニットフレーム４６には、駆動ギア４７と４８の反対側にガイドローラ４９が回転自在に軸支され、これらのガイドローラ４９が軌道フレーム３６の背面レール部５０に嵌合されている。
【００３５】
ユニットフレーム４６には更に回旋用モータ５１が設置され、この回旋用モータ５１のモータシャフトにウォーム５２が回転一体に取り付けられる。このウォーム５２は、一対の駆動ギア４７を連結するシャフトに設けられたウォームホイール５３に噛み合い、回旋用モータ５１の駆動力がウォーム５２及びウォームホイール５３を介して駆動ギア４７へ伝達され、更にタイミングベルト５４を介して駆動ギヤ４８へ伝達される。駆動ギヤ４７及び４８が軌道フレーム３６のラックレール３９に噛み合って回旋用モータ５１により回転駆動され、このときガイドローラ４９が軌道フレーム３６の背面レール部５０を転動することで、可動ユニット３４は軌道フレーム３６の湾曲形状に沿って回旋移動する。図２に示すように、この可動ユニット３４の回旋移動の中心が、位置決めユニット３５により位置決めされた被検者１０の眼球の回旋点１２となるように設計されている。
【００３６】
図４及び図５に示すように、可動ユニット３４のユニットフレーム４６には駆動ねじ５５が、その軸回りに回転自在に立設される。この駆動ねじ５５に、発光ダイオード（ＬＥＤ）などの光源５６を支持する光源支持部５７が螺合される。上記ユニットフレーム４６には光源用モータ５８が設置され、この光源用モータ５８の駆動力は、タイミングベルト５９を経て駆動ねじ５５へ伝達され、当該駆動ねじ５５を回転させる。これにより、光源支持部５７を介して光源５６が、後述のレンズ６０に対し接近または離反する方向に移動可能に設けられる。
【００３７】
上記レンズ６０は可動ユニット３４のユニットフレーム４６に設置され、このレンズ６０の光軸上に上記光源５６が配置される。これらのレンズ６０及び光源５６を有する可動ユニット３４が、眼鏡フレームを装用した眼鏡装用者を遠方視状態または近方視状態のそれぞれの測定位置に設置する固視手段を構成する。これらの遠方視状態と近方視状態のそれぞれの測定位置の設定は、光源５６をレンズ６０に対し接近または離反して移動させると同時に、可動ユニット３４を軌道フレーム３６の湾曲形状に沿って回旋移動させることにより実現される。
【００３８】
つまり、図６に示すように、光源５６とレンズ６０との間隔を任意の距離とすることにより、眼鏡装用者である被検者１０に遠方視状態と近方視状態の光源５６の像を固視灯（遠方視目的物、近方視目的物）として観察させる。と同時に、可動ユニット３４を軌道フレーム３６の湾曲形状に沿って回旋移動させることにより、遠方視状態測定位置（図６（Ａ））では、被検者１０における被検眼１１の略水平方向の遠方視軸１７上に光源５６の像を発生させ、近方視状態測定位置（図６（Ｂ））では、被検者１０における被検眼１１の遠方視軸１７から下方へ所定の眼球回旋角θだけ回旋させた近方視軸１８上に、光源５６の像を発生させる。これらにより、遠方視状態と近方視状態のそれぞれの測定位置の設定が実現される。
【００３９】
特に、図６(Ｂ)に示す近方視状態測定位置では、可動ユニット３４が軌道フレーム３６の湾曲形状に沿って任意の位置まで回旋移動することで眼球回旋角θが任意に変更可能とされ、更に、光源５６とレンズ６０との距離が調整されることで近方視目的距離ＮＬが任意に変更可能とされる。尚、これらの眼球回旋角θと近方視目的距離ＮＬはいずれか一方が変更可能に構成されてもよい。また、光源５６は、本実施形態では、レンズ６０に対し接離されて遠方視用と近方視用とで兼用されているが、遠方視用の光源と近方視用の光源とを別々に設けてもよい。
【００４０】
図４及び図５に示すように、可動ユニット３４のユニットフレーム４６には、レンズ６０の図における下方に、ビームスプリッタとして機能するハーフミラー６１が配置される。このハーフミラー６１は、光源５６から発した光を反射して位置決めユニット３５側へ向かわせるべく４５°に傾斜して配置される。そして、ユニットフレーム４６においてハーフミラー６１の後方に、撮影装置としての正面用撮像カメラ６２が設置される。この正面用撮像カメラ６２は、撮像レンズを有する例えばＣＣＤカメラなどである。
【００４１】
前記可動ユニット３４は、図２に示すように、被検者１０の眼球(被検眼１１)の回旋点１２を中心に軌道フレーム３６の湾曲形状に沿って回旋移動するとき、この可動ユニット３４に設置された正面用撮像カメラ６２を同様に回旋移動させる。このとき、正面用撮像カメラ６２の光軸は、図６に示すように、被検者１０の遠方視軸１７または近方視軸１８に常時一致した状態に保持される。従って、この正面用撮像カメラ６２は、可動ユニット３４により遠方視状態または近方視状態のそれぞれの測定位置に設置された被検者１０の顔の正面を、ハーフミラー６１を通して撮影してその画像を取り込む。尚、上記ハーフミラー６１の透過と反射の比率は、７：３を用いているが、特に定めるものではない。また、このハーフミラー６１と位置決めユニット３５に位置決められる被検者１０の眼との距離は、約７０ｃｍに設定されている。
【００４２】
図２及び図３に示すように、位置決めユニット３５の位置決めサブフレーム４１に側面用撮像カメラ６３、ミラー６４及び６５が設置される。側面用撮像カメラ６３は、顎受け台４２の図３における左下方に設置され、撮像レンズを有する例えばＣＣＤカメラである。ミラー６４はこの側面用撮像カメラ６３の近傍に、ミラー６５は額当て部４３の近傍に、それぞれ４５°に傾斜して設置される。可動ユニット３４により遠方視状態または近方視状態のそれぞれの測定位置に設定された被検者１０の顔の側面は、図７に示すように、ミラー６５、ミラー６４に順次反射されて側面用撮像カメラ６３により撮影され、その画像が取り込まれる。上記正面用撮像カメラ６２、ハーフミラー６１、側面用撮像カメラ６３、ミラー６４及び６５が、撮像入力手段として機能する。
【００４３】
図２に示すように、前記軌道フレーム３６を備えたフレームユニット３３と、光源５６、レンズ６０、ハーフミラー６１及び正面用撮像カメラ６２等を備えた可動ユニット３４とがカバー６６により被覆される。このカバー６６には、図３及び図８に示すように、正面側に遠方視用窓２７及び近方視用窓２８が開口されている。遠方視用窓２７は、図２に示すように、位置決めユニット３５により顔が位置決めされた被検者１０の遠方視状態において、その被検眼１１の遠方視軸１７がカバー６６を横切る位置に形成される。また、近方視用窓２８は、同様に位置決めユニット３５により顔が位置決めされた被検者１０の近方視状態において、その被検眼１１の近方視軸１８がカバー６６を横切る位置で、眼球回旋角θが変更されることにより当該近方視軸１８が回旋移動する領域に形成される。
【００４４】
図１に示す前記装置制御用端末３２は、図９に示すプログラムソフトを格納し、このうちの遠方視状態または近方視状態に設定することが可能な固視灯駆動プログラムソフトを起動させることで、回旋用モータ５１を駆動制御して可動ユニット３４を回旋移動させ、光源用モータ５８を駆動制御して光源５６を移動させ、後述のごとく、近方視状態において眼鏡装用パラメータのうちの眼球回旋角θ及び近方視目的距離ＮＬを決定する。
【００４５】
また、装置制御用端末３２は、測定用プログラムソフトを起動させることによって、正面用撮像カメラ６２及び側面用撮像カメラ６３により撮影されて装置制御用端末３２内に一時記憶された撮像画像をモニター上に呼び出し、この撮像画像に基づき、眼鏡装用パラメータのうちの遠方視瞳孔間距離ＦＰＤ、近方視瞳孔間距離ＮＰＤ、遠方視眼鏡装用距離Ａ、近方視眼鏡装用距離Ｂ及び眼鏡フレーム装用角度αを計測し演算する計測演算手段として機能する。また、プログラムソフトのうちの倍率補正プログラムソフトは、正面用撮像カメラ６２と側面用撮像カメラ６３とにおいて撮像された画像の倍率を、後述のごとく補正して一致させる機能を果たす。
【００４６】
更に、計測演算手段として機能する上記装置制御用端末３２は、遠方視眼鏡装用距離ａ及び近方視目的距離ＮＬなどを用いて後述の如くインセット量を算出し、また加入度などを算出する。
【００４７】
また、この装置制御用端末３２は、図９に示す眼鏡レイアウトシミュレーションプログラムソフトを起動させることで、上述の眼鏡装用パラメータＶ、眼鏡レンズ１３のレンズ情報（眼鏡レンズデータＷ）、及び眼鏡フレーム１４のフレーム情報（眼鏡フレームデータＺ）を用いて、眼鏡レンズが眼鏡フレームにレイアウトできるか否かを表すレイアウト情報を決定するレイアウト手段として機能する。更に、装置制御用端末３２は、レンズ加工情報算出プログラムソフトを起動させることで、上記レイアウト情報などに基づいて眼鏡レンズを縁摺り加工等するためのレンズ加工情報を算出する加工演算手段として機能する。
【００４８】
これらのレイアウト情報及びレンズ加工情報については後述する。また、上記眼鏡レンズデータＷは、レンズ屈折力、眼鏡レンズ形状データ（凸面及び凹面の曲率半径やレンズ中心厚など）、眼鏡レンズ処方データ（後述）、レイアウトマークデータ（図３２に示す遠用アイポイント９０、遠用参照円９１、近用参照円９２、水平基準線９３、光学中心９４、小玉形状９５等）のいずれかを含むものである。また、上記眼鏡フレームデータＺは、例えばフレームトレーサ７４(図１)等により計測されるものであり、玉型形状データ（リム１５が形成する玉型の形状データ）、玉型中心間距離ＢＣＬ（眼鏡フレーム１４の２つの玉型の中心間距離）、フレームあおり角β、フレーム材質のいずれかを含むものである。
【００４９】
この装置制御用端末３２が実行する眼鏡装用パラメータ測定の手順を、図２０に示すフローチャートを参照してまず概略して説明し、後に詳細に説明する。
【００５０】
まず、眼鏡装用パラメータ測定装置３０に電源を投入して装置制御用端末３２を起動させ（Ｓ１）、正面用撮像カメラ６２及び側面用撮像カメラ６３による撮像画像の倍率補正のためのキャリブレーションを、必要に応じて実行する（Ｓ２）。次に、外部から顧客個人データ、レンズ処方データ、眼鏡フレームデータを入力し、近方視目的距離ＮＬと眼球回旋角θを任意に入力する（Ｓ３）。
【００５１】
その後、眼鏡装用者である被検者１０の眼を位置決めユニット３５の基準マーク４５（図３）に一致させて、被検者１０の眼の上下方向の位置合わせを実行する（Ｓ４）。この状態で、約５メートル前方に固視灯を点灯させ、被検者１０の遠方視状態における顔の正面及び側面の画像を撮影する（Ｓ５）。
【００５２】
次に、固視灯を点灯した状態で、近方視目的距離ＮＬと眼球回旋角θを任意に変更させ、被検者１０に適した近方視状態を確認させながら、これらの近方視目的距離ＮＬ及び眼球回旋角θを決定する（Ｓ６）。この状態で、被検者１０の近方視状態における顔の正面及び側面の画像を撮影する（Ｓ７）。
【００５３】
撮像された遠方視及び近方視の画像と、外部より入力されたデータに基づき、眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度α）を計測し演算する（Ｓ８）。そして、これらの測定された眼鏡装用パラメータを、撮像画像と共に装置制御用端末３２内に保存し、眼鏡店端末７０を介して顧客データベース７１に保存する（Ｓ９）。
【００５４】
この眼鏡装用パラメータ測定装置３０による上述の動作Ｓ１〜Ｓ９の後、眼鏡店端末７０は、顧客データベース７１に保存された眼鏡作製のために必要な眼鏡装用者個々人のデータ(顧客個人データＸ、眼鏡レンズ処方データＹ、眼鏡フレームデータＺ、眼鏡装用パラメータＶ等)を眼鏡製造業者の工場サーバー(不図示)へ送信して、眼鏡レンズまたは眼鏡を発注する（Ｓ１０）。上述の各動作を更に詳説する。
【００５５】
［起動（Ｓ１）］
図１において、眼鏡装用パラメータ測定装置３０の測定装置本体３１に電源が投入されると、この測定装置本体３１に接続された装置制御用端末３２が起動する。
【００５６】
［キャリブレーション（Ｓ２）］
正面顔画像、側面顔画像をそれぞれ撮影する２つの撮影カメラ６２、６３は倍率が異なることがあるので、装置制御用端末３２のモニターに表示される撮影メニュー画面(図１１)において、必要に応じてキャリブレーションボタン６７を選択しキャリブレーションを実行する。このキャリブレーションでは、両撮影カメラ６２及び６３により事前にスケール等を撮影したそれぞれの画像から、これらの撮影カメラ６２及び６３の倍率差を予め求めておき、この倍率差に基づき正面画像と側面画像の倍率差による誤差補正を行う。
【００５７】
［データ入力（Ｓ３）］
次に、装置制御用端末３２のモニターに表示された例えば図１０のようなデータ入力画面を用いて、顧客個人データＸ、眼鏡レンズ処方データＹ及び眼鏡フレームデータＺを入力する。これらのデータは手入力でも可能であるが、この手間を省いたり入力ミスをなくすために、外部から自動的にデータの読み込みが可能である。
【００５８】
例えば図１０において、顧客個人データＸは、事前に登録されている場合、ＩＤ番号などを入力すると、顧客データベース７１(図１)の顧客ファイルから眼鏡店端末７０を介して自動的に入力できる。また、眼鏡レンズ処方データＹは、眼鏡装用パラメータ測定装置３０の装置制御用端末３２と検眼機７２（フォロプタ、オートレフラクトメータなど）が接続可能であれば、ボタン７３(図１０)の操作でデータを転送できる。フレームあおり角βを含む眼鏡フレームデータＺも、眼鏡装用パラメータ測定装置３０の装置制御用端末３２とフレームトレーサ７４(図１)が接続可能であれば、ボタン７５(図１０)の操作によりデータを転送できる。このようにフレームあおり角βは、フレームトレーサ７４により測定された眼鏡フレーム１４のトレースデータから求めることができるが、それ以外の取得方法として、例えば眼鏡装用パラメータ測定装置３０の撮像カメラ６２または６３により眼鏡フレーム１４を撮影し、その画像から求めることも可能である。
【００５９】
尚、図１０に示す眼鏡レンズ処方データＹのＳＰＨは球面度数(単位：ｄｐｔ)、ＣＹＬは乱視度数(単位：ｄｐｔ)、ＡＸＳは乱視軸(単位：°)、ＰＸはＸ方向プリズム度数(単位：ｄｐｔ)、ＰＹはＹ方向プリズム度数(単位：ｄｐｔ)、ＰＤは瞳孔間距離(単位：ｍｍ)である。
【００６０】
また、眼鏡装用者の近方視目的距離ＮＬおよび眼球回旋角θが既知であれば、それらのデータを図１０のデータ入力画面の「近方視距離」「近方視角度」の欄にそれぞれ入力する。本実施形態では眼球回旋角θ（即ち近方視角度）を入力するようにしているが、累進屈折力レンズで用いられている累進帯長Ｌ（遠用アイポイント中心と近用アイポイント中心の距離）を用いても構わない。これは、図２１に示すように、眼球回旋角θと累進帯長Ｌとの間に簡易的に次式が成り立つからである。
Ｌ＝Ｐ×tanθ
ここで、Ｐは眼球回旋中心(回旋点１２)から眼鏡レンズ１３までの距離であり、通常２７ｍｍを用いる。この場合、上式は、眼鏡フレーム装用角度αなどを考慮していない簡易式であり、Ｐの値も個々の眼鏡装用者で異なる場合もあるが、ある程度の目安になる。累進帯長Ｌから眼球回旋角θを算出して、眼鏡装用者に近方視させ、必要であればこの眼球回旋角θを微調整する。
【００６１】
［上下方向位置合わせ(Ｓ４)］
データ入力後、図３に示す位置決めユニット３５の顎受け台４２に被検者１０の顎を載せ、額を額当て部４３に当てさせた状態で、顎受け台４２あるいは基台３７を上下に移動させて、側面から見たときの被検者１０(即ち、眼鏡装用者)の眼を額当て支柱４４の基準マーク４５に一致させる。
【００６２】
［遠方視状態の撮影(Ｓ５)］
図１０のデータ入力画面を用いたデータ入力完了後、装置制御用端末３２のモニターに図１１に示す撮影メニュー画面が表示される。この撮影メニュー画面の遠方視ボタン６８を選択すると、図６（Ａ）の遠方視状態測定位置において光源５６が点灯する。この光源５６は固視灯の役割を果たす。この遠方視状態において、例えば眼鏡装用者である被検者１０が目視する固視灯の目標距離を約５ｍに設定したいときには、光源５６をレンズ６０の光軸上で移動させ、ハーフミラー６１およびレンズ６０を介して、これら６１、６０の後方５ｍ付近に光源５６の像（虚像）が形成されるように調整する。
【００６３】
被検者１０はこの光源像を固視灯として観察し、検者は被検者の視線が水平であることや、顔が傾いていないことを図１３に示す撮影画面（遠方視）で確認し、被検者１０の眼が図１３中にある上下の基準線内に入るように基台３７あるいは被検者用椅子の高さを調節する。被検者１０の視線の水平状態及び眼が上下の基準線内に入っていることを確認後、装置制御用端末３２のモニターに表示されている撮影ボタン７６を操作して、正面用撮像カメラ６２にて被検者１０の遠方視状態の正面顔画像を撮像する。これと同時に、図３及び図７に示す側面用撮像カメラ６３により被検者１０の遠方視状態の側面顔画像を撮像する。
【００６４】
［近方視状態の撮影(Ｓ６、Ｓ７)］
遠方視状態の正面及び側面の顔画像撮像後、装置制御用端末３２の撮影メニュー画面(図１１)で近方視ボタン６９を選択すると、可動ユニット３４が図６（Ａ）の遠方視状態測定位置から図６（Ｂ）の近方視状態測定位置まで、被検眼１１の回旋点１２を中心に軌道フレーム３６に沿って回旋移動すると共に、可動ユニット３４の光源５６がレンズ６０の光軸上を移動して、本実施形態では被検者１０の前方３０〜５０ｃｍの間に空中像（実像）を形成させ、この像を固視灯として被検者１０に観察させる。
【００６５】
仮に、被検者１０の近方視での眼球回旋角θ、近方視目的距離ＮＬが分かっている場合で、データ入力画面(図１０)を用いてそれらの数値が既に入力されている場合には、上記眼球回旋角θ、近方視目的距離ＮＬに固視灯の空中像が形成されるように、固視灯である光源５６を可動ユニット３４により回旋移動させ、且つレンズ６０の光軸上で移動させる自動制御を設けている。被検者１０がこの固視灯を観察していることを図１４に示す撮影画面（近方視）で確認すると共に被検者１０の眼が図１４中にある上下の基準線内に入っていることを確認した後、装置制御用端末３２のモニターに表示されている撮影ボタン７７を操作して、正面用撮像カメラ６２にて被検者１０の近方視状態の正面顔画像を撮像する。これと同時に、図３及び図７に示す側面用撮像カメラ６３により被検者１０の近方視状態の側面顔画像を撮像する。
【００６６】
被検者１０の近方視状態での眼球回旋角θ及び近方視目的距離ＮＬが分かっていない場合には、図１４の撮影画面（近方視）の「近方視距離」「近方視角度」の欄に任意の数値を入力し、セットボタン７８を操作して、上記入力数値に適合する位置まで光源５６を可動ユニット３４により回旋移動させ、且つレンズ６０の光軸上で移動させる。この状態から、眼球回旋角θ及び近方視目的距離ＮＬを変更して被検者に適した近方視状態を確認させ、この近方視状態における眼球回旋角θ及び近方視目的距離ＮＬを、求めるべき眼球回旋角θ及び近方視目的距離ＮＬとして検出する。その後、上述の手順と同様にして撮影ボタン７７を操作し、近方視状態の正面顔画像、側面顔画像を撮像カメラ６２、６３によりそれぞれ撮影する。
【００６７】
例えば、一つの手法として近方視目的距離ＮＬを固定し、光源５６を可動ユニット３４により回旋移動させて眼球回旋角θ(近方視角度)を変更し、眼鏡装用者に最適な眼鏡回旋角θを求める。その後、その眼鏡回旋角θを保持し、光源５６をレンズ６０の光軸上で移動させて近方視目的距離ＮＬを変更し、最適な近方視目的距離ＮＬを求める。この逆でも可能である。
【００６８】
［装用パラメータの計測・演算(Ｓ８)］
このようにして取得した画像を用いて、眼鏡を作製するために必要とされる様々な眼鏡装用パラメータを計測し演算するには、装置制御用端末３２のモニター上の操作メニュー画面(図１２)で瞳孔間距離測定ボタン８０Ａ、装用角度・装用距離測定ボタン８１を任意に選択し、それぞれの測定用プログラム(図９)を起動させる。
【００６９】
瞳孔間距離測定ボタン８０Ａを選択すると、瞳孔間距離測定プログラムが起動すると同時に、図１５及び図１６（Ａ）に示すように、遠方視状態の被検者１０の正面顔を撮像した正面画像が装置制御用端末３２のモニター上に表示される。この画像は、倍率補正（キャリブレーション）が実施されて上記モニター上に表示されている。そして、この遠方視状態の被検者１０の正面画像上において、例えば以下のような検出方法で左眼８２と右眼８３の瞳孔中心位置を求め、この瞳孔中心の離間距離を遠方視瞳孔間距離ＦＰＤとする。
【００７０】
第１の検出方法としては、左眼８２と右眼８３の瞳孔中心位置をマウス等のポインティングデバイスで直接指定するもので、画面上の距離を装置制御用端末３２が計測する方法である。第２の検出方法としては、画像処理によって自動的に瞳孔中心位置を求める方法である。この第２の検出方法では、画像処理の時間を短くするために、瞳孔近辺領域８９を図１６（Ａ）の破線のようにマウスでドラッグする。次に、この画像において、画像の走査線８４をスキャンニングして反射光量の変化を求める。被検眼(左眼８２、右眼８３)の瞳孔部分は暗いので、図１６（Ｂ）のように瞳孔部分で反射光量が大きく低下する。そこで、この反射光量が低下した部分を瞳孔領域として検出して瞳孔中心位置を求め、これらの瞳孔中心間を距離換算して遠方視瞳孔間距離ＦＰＤを求める。
【００７１】
本実施形態においては、瞳孔中心位置は、上記第１の検出方法と第２の検出方法のいずれを用いて求めてもよく、また他の方法で求めてもよい。また顔の中心（例えば鼻柱の中心）あるいは眼鏡フレームのブリッジ１９の中心をポインティングデバイス等で指定し、その中心から左眼８２の瞳孔中心までの距離、右眼８３の瞳孔中心までの距離をそれぞれ左眼ＦＰＤ（Ｌ−ＦＰＤ）、右眼ＦＰＤ（Ｒ−ＦＰＤ）として求め、これらを加算して遠方視瞳孔間距離ＦＰＤを求めてもよい。
【００７２】
近方視瞳孔間距離ＮＰＤも同様な操作で求めることができるが、近方視状態は、遠方視状態と異なり輻輳により視線が内側に寄っている。このため、遠方視瞳孔間距離ＦＰＤと同様にして計測される近方視瞳孔間距離、つまり、近方視状態の被検者１０の正面画像において、左眼８２と右眼８３の瞳孔中心間距離から計測される近方視瞳孔間距離は、あくまで被検眼１１上での距離である。図１７を用いて説明すると、眼鏡レンズ１３を作製するときには、近方視の状態において眼鏡フレーム１４のリム１５に嵌め込まれる眼鏡レンズ１３の面上で、視線がどこを通過するかを計算する必要があり、この眼鏡レンズ１３の面上での近方視瞳孔間距離が求めるべき近方視瞳孔間距離ＮＰＤとなる。
【００７３】
遠方視及び近方視状態の被検者１０の両正面画像から、眼鏡レンズ１３の面上での近方視瞳孔間距離ＮＰＤを求める方法を、図１７を用いて説明する。説明を簡単にするため、ここではフレームあおり角βと眼鏡フレーム装用角度α(後述)を０°とする。図１７において、被検眼１１の角膜頂点から回旋点１２までの距離をa(図２１のＶＲに相当)、遠方視眼鏡装用距離をｂ(図２１のＡに相当)、正面画像の遠方視の角膜頂点位置と近方視の角膜頂点位置の距離差をｃとすると、内寄せ量ｄは次式で表される。
ｄ＝ｃ(ａ＋ｂ)／ａ
眼鏡レンズ１３の面上の遠方視瞳孔間距離、近方視瞳孔間距離をそれぞれＦＰＤ、ＮＰＤとすると、遠方視瞳孔間距離ＦＰＤは遠方視の正面画像の瞳孔間距離と等しいので、近方視瞳孔間距離ＮＰＤは次式で表される。
ＮＰＤ＝ＦＰＤ−２・ｄ
ここで、角膜頂点から回旋点１２までの距離aは通常１３ｍｍが用いられることが多いが、それ以外の値でも構わない。近方視瞳孔間距離ＮＰＤをより正確に求めるためには、フレームあおり角βと眼鏡フレーム装用角度αを用いて補正する必要があるが、ここでは省略する。
【００７４】
次に、装置制御用端末３２の操作メニュー画面(図１２)上で、装用角度・装用距離測定ボタン８１を選択する。すると、まず眼鏡フレーム装用角度測定プログラム(図９)が起動すると同時に、図１８に示すように、装置制御用端末３２のモニター上に倍率補正された被検者１０の遠方視状態の顔の側面画像が表示される。この側面画像は、眼鏡フレーム装用角度α、遠方視眼鏡装用距離Ａを測定するために用いる。図１８に示す画面上で被検眼１１の角膜頂点をマウス等のポインティングデバイスで指定し、水平線を引いて光軸、即ち遠方視軸１７を描く。眼鏡フレーム装用角度αは、この光軸（遠方視軸１７）に垂直な直線８５に対して眼鏡フレーム１４のリム１５がなす角度である。この眼鏡フレーム装用角度αを決定するには、眼鏡フレーム１４のリム１５の側面形状に沿って２点或いは４点をマウス等のポインティングデバイスで指定し、これらの座標値から演算によって直線８６を表示させ、この直線８６と上記直線８５とのなす角度を眼鏡フレーム装用角度αとする。
【００７５】
この眼鏡フレーム装用角度αの測定後、眼鏡装用距離測定プログラム(図９)が起動する。既に眼鏡フレーム装用角度αが分かっているので、まず、この眼鏡フレーム装用角度αを求めた直線８６と平行で且つ角膜頂点を通る基準直線８７を表示する。この基準直線８７と平行な直線８８を画面上で生じさせ、マウス等のポインティングデバイスで上記直線８８を平行移動して、眼鏡フレーム１４のリム１５の位置まで移動させる。このリム１５の位置まで移動した直線８８と上記基準直線８７間の距離を計測して仮装用距離とする。実際の遠方視眼鏡装用距離Ａは、フレームあおり角βやレンズカーブなどの眼鏡の立体形状に影響されるので、眼鏡装用距離測定プログラムは、眼鏡フレーム１４のトレースデータやレンズカーブ(眼鏡レンズ形状データ)を読み込んで計算し、その計算値と上記仮装用距離を加味して遠方視眼鏡装用距離Ａを算出する。
【００７６】
近方視眼鏡装用距離Ｂも同様な操作で求めることができる。つまり、装置制御用端末３２のモニター上に被検者１０の近方視状態における顔の側面画像を表示させ、この画像上で被検眼１１の角膜頂点をマウス等のポインティングデバイスで指定し、既に眼球回旋角θが分かっているので、この眼球回旋角θに応じ上記角膜頂点を通る光軸、即ち近方視軸１８を引く。この近方視軸１８上の角膜頂点と眼鏡フレーム１４のリム１５との距離を計測して仮装用距離とする。実際の近方視眼鏡装用距離Ｂは、フレームあおり角βやレンズカーブなどの眼鏡の立体形状に影響されるので、眼鏡フレーム１４のトレースデータやレンズカーブを読み込んで計算し、その計算値と上記仮装用距離を加味して近方視眼鏡装用距離Ｂを算出する。
【００７７】
図２１に示す遠方視眼鏡装用距離Ａ、近方視眼鏡装用距離Ｂ、眼鏡フレーム装用角度α、眼球回旋角θが既に計測し計算されているので、装置制御用端末３２は、被検眼１１の角膜頂点から眼球回旋点１２までの距離ＶＲを１３ｍｍとして累進帯長Ｌを計算する。この累進帯長Ｌは、累進屈折力レンズのタイプの選定に役立つだけでなく、眼鏡装用者に最適な累進屈折力レンズを設計する上で必要かつ重要なパラメータである。尚、被検眼１１の角膜頂点から眼球回旋点１２までの距離ＶＲを１３ｍｍとしたが、これは日本人において一般に用いられる値であって、欧米人の場合は主に１４ｍｍが用いられることが多い。また、図２１では、累進面が眼鏡レンズ１３の眼側にある場合を示したが、眼鏡レンズ１３の物体側にある場合には、累進帯長Ｌはレンズの厚みを考慮して算出する。
【００７８】
［データ保存(Ｓ９)］
装置制御用端末３２は、上述のようにして得られた眼鏡装用パラメータＶを、顧客個人データＸ及び眼鏡フレームデータＺと共に、例えば図１９に示す保存画面に一覧表示の形態で、装置制御用端末３２内及び顧客データベース７１に保存し、このとき撮像画像も同時に保存する。
【００７９】
［眼鏡レンズ、眼鏡の発注（Ｓ１０）］
眼鏡装用パラメータ測定装置３０の装置制御用端末３２及び顧客個人データ７１(図１)に保存された各眼鏡装用者の眼鏡装用パラメータは、眼鏡店端末７０により、図示しない眼鏡製造業者の工場サーバーへ送信されて、眼鏡レンズまたは眼鏡の発注がなされる。  
【００８０】
累進屈折力レンズをはじめとした老視用眼鏡レンズでは、遠方視及び近方視の眼鏡装用パラメータが必要であるが、近用専用単焦点レンズの場合には、遠方視の眼鏡装用パラメータは不要であり、遠方視状態の撮影を省くことができる。また、遠視用あるいは近視用の単焦点レンズの場合には、近方視の眼鏡装用パラメータは不要であり、近方視状態の撮影を省くことができる。このように、眼鏡装用パラメータは、眼鏡装用者が装用する眼鏡レンズの種類によって眼鏡装用パラメータ測定装置３０により任意に選択して測定され、眼鏡店端末７０により眼鏡製造業者の工場サーバへ送信される。
【００８１】
次に、上述のような眼鏡装用パラメータ測定手順（図２０のステップＳ１〜Ｓ１０）のうち、ステップＳ８における遠方視瞳孔間距離ＦＰＤ及び近方視瞳孔間距離ＮＰＤを、フレームトレーサ７４からの眼鏡フレームデータＺを用いて計測する、上述と異なる手順を述べる。
【００８２】
この場合には、装置制御用端末３２の操作メニュー画面（図１２）上で、装用角度・装用距離測定ボタン８１を選択し、前述と同様にして眼鏡フレーム装用角度α、遠方視眼鏡装用距離Ａ、近方視眼鏡装用距離Ｂ及び累進帯長Ｌを算出する。
【００８３】
この後、装置制御用端末３２の操作メニュー画面（図１２）上で瞳孔間距離測定ボタン８０Ｂを選択する。すると、前述と異なる瞳孔間距離測定プログラムが起動して、遠方視状態の被検者１０の正面画像が、図２５に示すように、装置制御用端末３２のモニター上に表示される。この画面は、倍率補正（キャリブレーション）が実施されて上記モニター上に表示されている。そして、この遠方視状態の被検者１０の正面画像上において、前述の２つの検出方法のいずれか、または他の検出方法を用いて左眼８２と右眼８２のそれぞれの瞳孔中心位置を求め、遠方視瞳孔間距離ＦＰＤを計測する。
【００８４】
例えば、図２５の画面上の右眼瞳孔中心ボタン１０１を選択すると、この画面上にカーソル１０２が表示され、このカーソル１０２を移動させて正面画像の右眼８３に一致させ、ＯＫボタン１０３を選択してカーソル１０２位置を確定することで、カーソル１０２の中心位置から右眼８３の瞳孔中心９７の位置が求まる。次に、この画面上の左眼瞳孔中心ボタン１００を選択することで、カーソル１０２を用いて同様に左眼８２の瞳孔中心９６の位置が求まる。そして、これら左眼８２の瞳孔中心９６と右眼８３の瞳孔中心９７との離間距離から遠方視瞳孔間距離ＦＰＤが算出される。この遠方視瞳孔間距離ＦＰＤの値は、画面上（例えば図２６の「ＰＤ、両眼」の欄）に表示される。
【００８５】
図２５に表示される被検者１０の正面画像では、顔が傾いた状態で撮影される場合がある。上述のようにして瞳孔中心９６及び９７の位置を求めた後に、画像傾斜補正ボタン１０４が選択されると、これらの瞳孔中心９６と９７の位置から顔の傾斜状態を算出し、この値を用いて当該正面画像の傾斜補正を実行する。
【００８６】
この傾斜補正後に、フレームトレーサ７４にて計測された眼鏡フレームデータＺの玉型形状データから求めたフレーム形状１０５を、図２６に示すように、被検者１０の正面画像上に描画して表示する。装置制御用端末３２は、このフレーム形状１０５を正面画像上に描画する描画手段を有する。この描画手段として機能する装置制御用端末３２は、眼鏡フレームデータＺのフレームあおり角βと、眼鏡装用パラメータＶの先に計測した眼鏡フレーム装用角度αと、撮影倍率とを考慮して、被検者１０の正面画像上に上記フレーム形状１０５を描画する。尚、被検者１０の正面画像上に描画されるフレーム形状１０５は、被検者１０が眼鏡装用パラメータ測定装置３０により撮影される際に装用していた眼鏡の眼鏡フレーム１４におけるフレーム形状である。
【００８７】
そして、図２６に示す正面画像上の移動操作ボタン１０６を操作して、同正面画像上のフレーム形状１０５を上下左右に移動させ、このフレーム形状１０５を正面画像における眼鏡フレーム１４のフレーム画像１０７に一致させる。装置制御用端末３２は、移動操作ボタン１０６の操作によりフレーム形状１０５を移動させる移動手段を有する。眼鏡フレームデータＺから求めたフレーム形状１０５と正面画像上のフレーム画像１０７とが一致した後にＯＫボタン１０８を操作することで、フレーム形状１０５の位置が確定される。
【００８８】
この位置が確定したフレーム形状１０５におけるブリッジ中央位置１０９（図２７）と、前述のようにして計測した左眼８２の瞳孔中心９６との距離から、左眼遠方視瞳孔間距離（左眼ＦＰＤ；Ｌ‐ＦＰＤ）を算出し、上記ブリッジ中央位置１０９と右眼８３の瞳孔中心９７との距離から右眼遠方視瞳孔間距離（右眼ＦＰＤ；Ｒ‐ＦＰＤ）を算出する。この算出方法は、顔の中心（例えば鼻柱の中心）または画像上の眼鏡フレーム１４のブリッジ１９の中心をポインティングデバイス等で指定する方法に比べ、ポインティングデバイスの操作が不要になるほか、計測誤差が少ない利点がある。これらの左眼ＦＰＤ、右眼ＦＰＤの値は、例えば図２７の「遠用ＰＤ、左眼」、「遠用ＰＤ、右眼」の欄にそれぞれ表示される。
【００８９】
上述のようにして遠方視瞳孔間距離ＦＰＤ、左眼ＦＰＤ、右眼ＦＰＤを計測した後に、インセット量（前述の内寄せ量と同義）を算出して近方視瞳孔間距離ＮＰＤを算出し、更に加入度を算出する。この加入等の算出は、データ入力画面（図１０）に入力された顧客個人データＸからの年齢と、予め計測された近方視目的距離ＮＬの値とから算出される。この加入度の値も図２７の画面に表示される。
【００９０】
上記インセット量は、図２８に信号「ｉ」をもって表示される。この図２８では、眼鏡レンズ１３を通して近方視目的距離Ｌ（図２１のＮＬに相当）にある物体Ｎを見ている場合を示す。この図２８において、被検眼１１の角膜頂点から回旋点１２までの距離をｔ（図２１のＶＲに相当）、遠方視眼鏡装用距離をｄ（図２１のＡに相当）、左眼ＦＰＤまたは右眼ＦＰＤをＰとしたとき、左眼または右眼のインセット量ｉは次式で求まる。（眼鏡の科学 Vol.7，1983，Ｐ１４〜３０参照）
【数１】
2007093636.tif 000003
ただし、Ｒは遠用処方値であり、図１０のデータ入力画面に入力された球面度数ＳＰＨおよび乱視度数ＣＹＬを用いて、
Ｒ＝ＳＰＨ＋ＣＹＬ／２
として算出されるものである。
【００９１】
上述のようにして左眼インセット量及び右眼インセット量を算出した後に、下記式を用いて左眼近方視瞳孔間距離（左眼ＮＰＤ）及び右眼近方視瞳孔間距離（右眼ＮＰＤ）をそれぞれ算出する。
左眼ＮＰＤ＝左眼ＦＰＤ−左眼インセット量
右眼ＮＰＤ＝右眼ＦＰＤ−右眼インセット量
そして、これらの左眼ＮＰＤと右眼ＮＰＤを加算して近方視瞳孔間距離ＮＰＤを算出する。
【００９２】
上述のようにして算出した左眼インセット量、右眼インセット量は、図２７の画面の「インセット量、左眼」、「インセット量、右眼」の各欄に表示される。また、左眼ＮＰＤ、右眼ＮＰＤ、近方視瞳孔間距離ＮＰＤの値も、図２７の画面の「近用ＰＤ、左眼」、「近用ＰＤ、右眼」、「近用ＰＤ、両眼」の各欄に表示される。
【００９３】
次に、図２０のステップ８において各種の眼鏡装用パラメータを計測し演算した後に、眼鏡レイアウトシミュレーション及びレンズ加工情報算出（図２０のステップＳ１１）を実行する場合について説明する。なお、この眼鏡レイアウトシミュレーション等では、眼鏡レンズ１３が累進屈折力レンズ、バイフォーカルレンズの場合を説明し、単焦点レンズの場合は、上記両レンズよりも簡単であるため説明を省略する。
【００９４】
この眼鏡レイアウトシミュレーション及びレンズ加工情報算出を実行するには、装置制御用端末３２の操作メニュー画面（図１２）上で、眼鏡レイアウトシミュレーション（レンズ加工情報算出）ボタン１１０を選択する。すると、まず眼鏡レイアウトシミュレーションプログラムソフト（図９）が起動し、図２９に示すように、装置制御用端末３２のモニター上に、遠方視瞳孔間距離計測を目的として撮影された被検者１０の正面画像に、眼鏡フレームデータＺの玉型形状データから求めたフレーム形状１０５を描画した画像が表示される。この画像は、図２７の画像と同様に、画像の傾斜補正が実施され、上記フレーム形状１０５が撮影画像のフレーム画像１０７に一致した画像である。
【００９５】
この図２９の画面には、フレーム形状１０５が表示されると共に、このフレーム形状１０５の玉型形状の横寸法ＡＡ、縦寸法ＢＢ及び玉型中心間距離ＢＣＬのそれぞれの値が表示され、更に、フレーム形状１０５のアンダーリム１２３と瞳孔中心９７（または瞳孔中心９６）との距離であるＥＰＨの値が表示されている。また、この図２９の画面には、眼鏡装用パラメータＶとして遠方視瞳孔間距離ＦＰＤ、左眼ＦＰＤ及び右眼ＦＰＤのそれぞれの値が表示され、更に、近用視線が眼鏡レンズ１３を通過する位置を表す近用アイポイント１１１が表示されている。この近用アイポイント１１１は、インセット量ｉ（左眼、右眼），眼球回旋角θ，遠方視眼鏡装用距離ｂから算出されるものである。
【００９６】
この図２９の画面において、「レンズメーカー名」及び「レンズ商品名」の欄にレンズの種類を入力して眼鏡レンズ１３を選択し、ＯＫボタン１１２を操作すると、図３０、図３１に示すように、選択した所望の眼鏡レンズ１３のレンズ画像１１３、１２０が図２９の画像上に重ね合せて描画される。これらのレンズ画像１１３、１２０及び後述のレイアウトマークは、フレーム形状１０５の場合と同様に、フレームあおり角βや眼鏡フレーム装用角度αに応じて縦横比が変更して表示される。
【００９７】
眼鏡レンズ１３として累進屈折力レンズが選択された場合、この累進屈折力レンズのレンズ画像１１３は、図３０及び図３２（Ａ）に示すように、遠用アイポイント９０、遠用参照円９１、近用参照円９２、水平基準線９３等のレイアウトマークを有し、遠用アイポイント９０が被検者１０の正面画像の瞳孔中心９６、９７と一致して表示される。このとき、レンズ画像１１３の直径は、眼鏡フレームデータＺ、左眼ＦＰＤ及び右眼ＦＰＤの値に基づいて必要最小径が算出されて表示される。なお、遠用参照円９１は円内に遠用度数が設定され、近用参照円９２は円内に近用度数が設定されていることをそれぞれ示す。
【００９８】
図３０の画像上で必要に応じて位置調整ボタン１１４を操作し、通常、左右のレンズ画像１１３を連動して、例えば０．５ｍｍ（または０．１ｍｍ）ピッチで上下方向に移動させる。また、レンズ画像１１３の左右方向の移動は、同じく位置調整ボタン１１４を操作することで、通常、左右のレンズ画像１１３を連動して内寄せ方向または外寄せ方向に、例えば０．５ｍｍ（または０．１ｍｍ）ピッチで調整する。内寄せ時に位置調整ボタン１１４の横にマイナス記号「−」を表示させ、外寄せ時には位置調整ボタン１１４の横にプラス記号「＋」を表示する。左右のレンズ画像１１３を個別に位置調整する場合には、Ｌボタン１１５またはＲボタン１１６を操作した後に位置調整ボタン１１４を操作することで可能となる。左右のレンズ画像１１３の個別操作の解除は、Ｌボタン１１５またはＲボタン１１６を再度操作することで実施される。
【００９９】
上述のような位置調整ボタン１１４を用いたレンズ画像１１３の位置調整は、近用アイポイント１１１が近用参照円９２内に収まるように実行される。眼鏡が近用視を特に重視する場合には、更に近用参照円９２がフレーム形状１０５内に収まるようにレンズ画像１１３の位置が調整される。ただし、このレンズ画像１１３の位置調整によって、レンズ画像１１３の遠用アイポイント９０が被検者１０の正面画像の瞳孔中心９６、９７から位置ずれすることになるので、その点を考慮して、レンズ画像１１３の位置調整を実施する。また、左右のレンズ画像１１３の位置が位置調整ボタン１１４により調整される度に、レンズ画像１１３の必要最小径が変更して表示される。位置調整が完了した段階でＯＫボタン１１９を操作して、左右のレンズ画像１１３の位置を確定する。
【０１００】
また、眼鏡レンズ１３としてバイフォーカルレンズが選択された場合には、このレンズのレンズ画像１２０は、図３１及び図３２（Ｂ）に示すように、光学中心９４及び小玉形状９５等のレイアウトマークを有し、光学中心９４が被検者１０の正面画像の瞳孔中心９６、９７と一致して表示される。このときレンズ画像１２０の直径は、眼鏡フレームデータＺ、左眼ＦＰＤ及び右眼ＦＰＤの値に基づいて必要最小径が算出されて表示される。なお、小玉形状９５内に近用度数が設定されている。
【０１０１】
レンズ画像１２０の位置調整も位置調整ボタン１１４、Ｌボタン１１５、Ｒボタン１１６を用いて実施される。まず、小玉形状９５の上端部が、被検者１０の正面画像の下眼瞼に一致するように小玉形状９５の位置が調整され、次に、近用アイポイント１１１が小玉形状９５の中央付近に収まるようにレンズ画像１２０の位置が調整される。このレンズ画像１２０の位置調整が位置調整ボタン１１４によってなされる度に、レンズ画像１２０の必要最小径が変更して表示される。位置調整が完了した段階で、ＯＫボタン１１２を操作して左右のレンズ画像１２０の位置を確定する。
【０１０２】
このようにして、眼鏡レンズ１３と眼鏡フレーム１４との組合せの適否、つまり眼鏡レンズ１３の眼鏡フレーム１４に対するレイアウトの適否を確認して、眼鏡レンズ１３を決定する。この眼鏡レンズ１３の眼鏡フレーム１４に対するレイアウトの適否とこの適否に基づく眼鏡レンズ１３の決定、この決定された眼鏡レンズ１３の遠用アイポイント９０の位置、並びに距離を変更することで近用アイポイント１１１の位置が変更される遠方視眼鏡装用距離Ａ、近方視眼鏡装用距離Ｂなどが、レイアウト手段としての装置制御用端末３２によりレイアウト情報として決定される。
【０１０３】
上述のような眼鏡レイアウトシミュレーションの実行後、レンズ加工情報算出プログラムソフト（図９）が起動する。すると、レイアウト情報を決定したときと同一の画像（例えば、図３０または図３１のように、フレーム画像１０７にフレーム形状１０５とレンズ画像１１３または１２０が重ね合わされた画像）が、図３３に示すように表示されるので、この図３３の画面から、フレーム形状１０５の横寸法ＡＡ、縦寸法ＢＢ、玉型中心距離ＢＣＬなどの眼鏡フレームデータＺの値や、遠方視瞳孔間距離ＦＰＤ、左眼ＦＰＤ、右眼ＦＰＤなどの眼鏡装用パラメータＶの値が適正であるか否かを操作者が確認する。更に、眼鏡レンズ１３が累進屈折力レンズの場合には、近用アイポイント１１１がレンズ画像１１３の近用参照円９２内に収まっているか否か、また眼鏡レンズ１３がバイフォーカルレンズの場合には、近用アイポイント１１１がレンズ画像１２０の小玉形状９５中央付近に収まっているか否かを操作者が確認する。
【０１０４】
眼鏡フレームデータＺや眼鏡装用パラメータＶの値の確認後、例えばＯＫボタン１２２を操作すると、眼鏡装用パラメータＶ、眼鏡フレームデータＺ及びレイアウト情報に基づいて、眼鏡レンズ１３を縁摺り加工等するためのレンズ加工情報を算出する。このレンズ加工情報は、フレーム玉型中心ＢＣを基準とする場合（図３４（Ａ））と、アンダーリム１２３を基準とする場合（図３４（Ｂ））とがある。
【０１０５】
フレーム玉型中心を基準とする加工情報の算出は、まず、図３３の画面上のフレーム形状１０５における横寸法ＡＡの中心線と縦寸法ＢＢの中心線とが交差する点をフレーム玉型中心ＢＣとする。次に、このフレーム玉型中心ＢＣに対しレンズ画像１１３の遠用アイポイント９０（累進屈折力レンズの場合）、またはレンズ画像１２０の光学中心９４（バイフォーカルレンズの場合）がどの程度位置ずれしているかの位置ずれ量を算出する。これらの位置ずれ量を左眼について（ΔＸ‐Ｌ、ΔＹ‐Ｌ）として求め、右眼について（ΔＸ‐Ｒ、ΔＹ‐Ｒ）として求めてレンズ加工情報とする。
【０１０６】
アンダーリム１２３を基準とする加工情報の算出は、まず、図３３の画面上でフレーム形状１０５におけるアンダーリム１２３と遠用アイポイント９０（累進屈折力レンズの場合）、または光学中心９４（バイフォーカルレンズの場合）との距離をＹ‐Ｌ、Ｙ‐Ｒとして左右眼でそれぞれ求める。次に、フレーム形状１０５のブリッジ中央位置１０９から遠用アイポイント９０（累進屈折力レンズの場合）、または光学中心９４（バイフォーカルレンズの場合）までの距離をＸ‐Ｌ、Ｘ‐Ｒとして左右眼でそれぞれ算出する。なお、このＸ‐Ｌ、Ｘ‐Ｒの値は、眼鏡レイアウトシミュレーション（図３０、図３１）においてレンズ画像１１３、１２０を内寄せまたは外寄せしない場合には、それぞれ左眼ＦＰＤ、右眼ＦＰＤの値を用いることができる。左眼について（Ｘ‐Ｌ、Ｙ‐Ｌ）を、右眼について（Ｘ‐Ｒ、Ｙ‐Ｒ）をそれぞれレンズ加工情報とする。
【０１０７】
更に、レンズ加工情報には、当該眼鏡レンズ１３を縁摺り加工等する際に当該眼鏡レンズ１３に装着されるレンズ加工治具としてのレンズホルダ１２４(図３６)の固定位置に関する情報も含まれる。つまり、このレンズホルダ１２４は、通常当該レンズホルダ１２４の軸心１２５を眼鏡レンズ１３のフレーム玉型中心ＢＣ、遠用アイポイント９０、または光学中心９４に一致させて、眼鏡レンズ１３の凸面１３Ａに接着シート１２６を用いて装着される。従って、レンズ加工情報は、眼鏡レンズ１３のフレーム玉型中心ＢＣ、遠用アイポイント９０、光学中心９４をレンズホルダ１２４の固定位置情報として含むことになる。
【０１０８】
上述のように説明した眼鏡レイアウトシミュレーション及びレンズ加工情報の算出は、眼鏡装用パラメータＶの計測値により算出した累進帯長Ｌや近用アイポイント１１１の位置が、既存の眼鏡レンズ１３の累進帯長Ｌや近用アイポイント１１１の位置と略一致する場合である。眼鏡装用パラメータＶの計測値により算出された累進帯長Ｌや近用アイポイント１１１の位置が既存の眼鏡レンズ１３の累進帯長Ｌや近用アイポイント１１１の位置と大きく外れている場合には、眼鏡装用者個々人の眼鏡装用パラメータＶの計測値を用いて最適な眼鏡レンズ１３を光学設計し、この眼鏡レンズ１３を用いて前述の眼鏡レイアウトシミュレーション及びレンズ加工情報の算出を実行することになる。
【０１０９】
上述の眼鏡レイアウトシミュレーションによって得られたレイアウト情報と、このレイアウト情報から算出されたレンズ加工情報は、図２０のステップＳ９と同様にして、眼鏡装用パラメータＶ等と共に装置制御用端末３２及び顧客データベース７１に保存される。そして、これらのレイアウト情報及びレンズ加工情報は、図２０のステップＳ９と同様にして、眼鏡レンズ、眼鏡の発注時に、図示しない眼鏡製造業者の工場サーバーへ眼鏡装用パラメータＶなどと共に送信されて、眼鏡レンズ、眼鏡が作製される。眼鏡レンズを店舗内等で加工する場合には、上記レイアウト情報及びレンズ加工情報をレンズ加工機へ転送して眼鏡レンズを加工し、眼鏡を作製する。
【０１１０】
以上のように構成されたことから、上記実施の形態によれば次の効果（１）〜（９）を奏する。
（１）光源５６及びレンズ６０を備えた可動ユニット３４(図２)が、眼鏡装用者である被検者１０を遠方視状態または近方視状態に設定し、この近方視状態では、眼球回旋角θと近方視目的距離ＮＬの少なくとも一方を任意に変更可能とし、この遠方視状態または近方視状態に設定された被検者１０を正面用撮像カメラ６２及び側面用撮像カメラ６３により撮影し、この得られた撮像画像に基づき装置制御用端末３２が眼鏡装用パラメータを計測し演算する。更に、この装置制御用端末３２は、撮像画像上において移動可能に表示されて、被検者１０の瞳孔中心位置を検出するための瞳孔カーソル９２及び９３、並びに被検者１０の角膜頂点位置を検出するための角膜カーソル９７を有する。これらのことから、遠方視と近方視の眼鏡装用パラメータを高精度に測定できる。この結果、眼鏡装用パラメータ測定装置３０により高精度に測定された眼鏡装用パラメータの少なくとも一つを用いて、眼鏡装用者個々人に最適な専用の眼鏡レンズを光学設計でき、この眼鏡レンズを組み込んで、当該眼鏡装用者個々人に最適な専用の眼鏡を製造できる。
【０１１１】
（２）遠方視状態と近方視状態のそれぞれにおいて、眼鏡装用パラメータを測定できることから、眼鏡装用者が装用する眼鏡の眼鏡レンズの種類によって、必要な眼鏡装用パラメータを選択できるので、不必要な眼鏡装用パラメータの測定を省略して、眼鏡装用パラメータ測定装置３０による測定を迅速化できる。
【０１１２】
（３）レイアウト手段として機能する装置制御用端末３２が、眼鏡装用パラメータＶの計測値と眼鏡レンズデータＷと眼鏡フレームデータＺとを用いて、眼鏡レンズ１３の眼鏡フレーム１４に対するレイアウトが可能であるかのレイアウト情報を決定することから、眼鏡装用者個々人に最適な専用の眼鏡レンズを設計して眼鏡を作製することができる。
【０１１３】
（４）眼鏡レンズデータＷには、レンズの屈折率、眼鏡レンズ処方データ、眼鏡レンズ形状データ、レイアウトマークデータのうちのいずれかが含まれるので、実際の眼鏡レンズ１３を装用した状態でレイアウト情報の演算が可能となり、特に累進屈折力レンズのような場合にも、眼鏡レンズ１３の眼鏡フレーム１４に対するレイアウト状態を良好に確認することができる。
【０１１４】
（５）眼鏡フレームデータＺには、玉型形状データ、玉型中心間距離ＢＣＬ、フレームあおり角β、フレーム材質のうちのいずれかが含まれることから、遠方視眼鏡装用距離Ａ及び近方視眼鏡装用距離Ｂを、眼鏡フレーム１４の立体形状を考慮して算出することができる。このため、計測された遠方視眼鏡装用距離Ａ、近方視眼鏡装用距離Ｂのそれぞれを上記立体形状により修正することで、これらの遠方視眼鏡装用距離Ａ及び近方視眼鏡装用距離Ｂを高精度に測定することができる。
【０１１５】
（６）眼鏡装用パラメータＶの遠方視瞳孔間距離ＦＰＤと近方視瞳孔間距離ＮＰＤの計測に際し、眼鏡フレームデータＺによる玉型形状データのフレーム形状１０５を撮影画像上のフレーム画像１０７に略一致させる。この結果、フレーム形状１０５のブリッジ中央位置１０９と撮影画像上の左右眼の瞳孔中心位置９６、９７との距離を正確に計測でき、左右眼個別の片眼遠方視瞳孔間距離（左眼ＦＰＤ、右眼ＦＰＤ）を高精度に計測することができ、近方視瞳孔間距離ＮＰＤを高精度に算出することができる。
【０１１６】
（７）眼鏡装用者（被検者１０）の撮影画像上に眼鏡フレームデータＺによる玉型形状データのフレーム形状１０５を描画し、更に遠用アイポイント９０、近用参照円９２、光学中心９４、小玉形状９５等のレイアウトマークを有する所望の眼鏡レンズのレンズ画像１１３、１２０を描画して重ね合せ、眼鏡フレーム１４と眼鏡レンズ１３の組合せの適否を確認して当該眼鏡レンズ１３を決定することから、眼鏡フレーム１４に最適な眼鏡レンズ１３を選択することで、眼鏡装用者の個々人に最適な専用の眼鏡を提供することができる。
【０１１７】
（８）眼鏡レンズ１３の眼鏡フレーム１４に対するレイアウト情報に基づき、加工演算手段として機能する装置制御用端末３２がレンズ加工情報を算出することから、眼鏡装用者の個々人に最適な専用の眼鏡レンズ１３を加工して、眼鏡を作製することができる。
【０１１８】
（９）レンズ加工情報に、少なくともレンズホルダ１２４を固定する位置情報（芯取り位置）が含まれることから、この位置情報に基づきレンズホルダ１２４を用いて眼鏡レンズ１３を正確に芯取りして、眼鏡レンズ１３の縁摺り加工等を実施することができる。
【図面の簡単な説明】
【０１１９】
【図１】本発明に係る眼鏡装用パラメータ測定装置の一実施の形態と他の機器との接続関係を示す通信回線図である。
【図２】図１における眼鏡装用パラメータ測定装置を、一部を破断して示す側面図である。
【図３】図２のIII矢視図である。
【図４】図２の可動ユニットを示す側面図である。
【図５】図４のV矢視図である。
【図６】図２の測定装置本体が眼鏡装用者を撮影するときの状況を示す側面図であり、（Ａ）が遠方視状態測定位置、（Ｂ）が近方視状態測定位置での撮影状況を示す図である。
【図７】図３の側面用撮像カメラ及びミラーの配置状況を概略して示す正面図である。
【図８】図２及び図３のカバーを示す斜視図である。
【図９】図１の装置制御用端末が格納するプログラムソフトを示す構成図である。
【図１０】眼鏡装用者のデータを入力するためのデータ入力画像の一例を示す図である。
【図１１】撮影メニュー画面の一例を示す図である。
【図１２】操作メニュー画面の一例を示す図である。
【図１３】眼鏡装用者の遠方視状態を撮影するための撮影画面の一例を示す図である。
【図１４】眼鏡装用者の近方視状態を撮影するための撮影画面の一例を示す図である。
【図１５】眼鏡装用者の遠方視状態における正面画像を表す計測画面の一例を示す図である。
【図１６】（Ａ）は、図１５の計測画面において、遠方視瞳孔間距離を計測する際の説明図、（Ｂ）は、図１６（Ａ）の両眼瞳孔上における反射光量の変化を示すグラフである。
【図１７】近方視瞳孔間距離を求める方法を示す説明図である。
【図１８】眼鏡装用者の遠方視状態における側面画像を表す計測画面の一例を示す図である。
【図１９】眼鏡装用パラメータの保存画面の一例を示す図である。
【図２０】眼鏡装用パラメータの測定手順等を示すフローチャートである。
【図２１】眼鏡装用パラメータのうち、遠方視眼鏡装用距離、近方視眼鏡装用距離、眼球回旋角、近方視目的距離などを説明するための説明図である。
【図２２】眼鏡装用パラメータのうち、（Ａ）が遠方視瞳孔間距離を、（Ｂ）が近方視瞳孔間距離をそれぞれ説明するための説明図である。
【図２３】眼鏡装用パラメータのうち、眼鏡フレーム装用角度を説明するための説明図である。
【図２４】フレームあおり角を説明するための説明図である。
【図２５】遠方視瞳孔間距離計測を目的として撮影した正面画像を用い、瞳孔中心を指定する手順を説明する図である。
【図２６】図２５の正面画像上でフレームトレーサで計測した眼鏡フレームのフレーム形状を描画した説明図である。
【図２７】図２６のフレーム形状を上下左右に位置調整し、片眼遠方視瞳孔間距離などを計測する手順を示す図である。
【図２８】インセット量（内寄せ量）を算出するための説明図である。
【図２９】遠方視瞳孔間距離計測を目的として撮影した正面画像にフレームトレーサで計測したフレーム形状を描画し、眼鏡レンズを選択するための図である。
【図３０】図２９の画面にレイアウトマークを有する累進屈折力レンズを描画して表示した図である。
【図３１】図２９の画面にレイアウトマークを有するバイフォーカルレンズを描画して表示した図である。
【図３２】（Ａ）が図３０のレイアウトマークを有する累進屈折力レンズ、（Ｂ）が図３１のレイアウトマークを有するバイフォーカルレンズをそれぞれフレーム形状と共に示す図である。
【図３３】眼鏡レンズ（累進屈折力レンズ）のレイアウトを確認し、レンズ加工情報を算出するための図である。
【図３４】フレーム玉型中心ＢＣを基準としたレンズ加工情報を算出するための説明図である。
【図３５】アンダーリム１２３を基準としたレンズ加工情報を算出するための説明図である。
【図３６】眼鏡レンズにレンズホルダを装着した状態を示す断面図である。
【符号の説明】
【０１２０】
１０  被検者（眼鏡装用者）
１２  回旋点
１３  眼鏡レンズ
１４  眼鏡フレーム
１５  リム
１７  遠方視軸
１８  近方視軸
３０  眼鏡装用パラメータ測定装置
３１  測定装置本体
３２  装置制御用端末（計測演算手段、レイアウト手段、加工演算手段）
３４  可動ユニット（固視手段）
３６  軌道フレーム
５６  光源（固視手段）
６０  レンズ（固視手段）
６２  正面用撮像カメラ（撮像入力手段）
６３  側面用撮像カメラ（画像入力手段）
９０  遠用アイポイント(基準点)
９４  光学中心(基準点)
９６、９７  瞳孔中心
１０５  フレーム形状
１０７  フレーム画像
１１１  近用アイポイント
１１３、１２０  レンズ画像
１２３  アンダーリム
１２４  レンズホルダ（レンズ加工治具）
θ  眼球回旋角
α  眼鏡フレーム装用角度
β  フレームあおり角
ＦＰＤ  遠方視瞳孔間距離
ＮＰＤ  近方視瞳孔間距離
Ａ  遠方視眼鏡装用距離
Ｂ  近方視眼鏡装用距離
ＮＬ  近方視目的距離
ＢＣＬ  玉型中心間距離
ＢＣ  フレーム玉型中心
【図１】
2007093636.tif 000004
【図２】
2007093636.tif 000005
【図３】
2007093636.tif 000006
【図４】
2007093636.tif 000007
【図５】
2007093636.tif 000008
【図６】
2007093636.tif 000009
【図７】
2007093636.tif 000010
【図８】
2007093636.tif 000011
【図９】
2007093636.tif 000012
【図１０】
2007093636.tif 000013
【図１１】
2007093636.tif 000014
【図１２】
2007093636.tif 000015
【図１３】
2007093636.tif 000016
【図１４】
2007093636.tif 000017
【図１５】
2007093636.tif 000018
【図１６】
2007093636.tif 000019
【図１７】
2007093636.tif 000020
【図１８】
2007093636.tif 000021
【図１９】
2007093636.tif 000022
【図２０】
2007093636.tif 000023
【図２１】
2007093636.tif 000024
【図２２】
2007093636.tif 000025
【図２３】
2007093636.tif 000026
【図２４】
2007093636.tif 000027
【図２５】
2007093636.tif 000028
【図２６】
2007093636.tif 000029
【図２７】
2007093636.tif 000030
【図２８】
2007093636.tif 000031
【図２９】
2007093636.tif 000032
【図３０】
2007093636.tif 000033
【図３１】
2007093636.tif 000034
【図３２】
2007093636.tif 000035
【図３３】
2007093636.tif 000036
【図３４】
2007093636.tif 000037
【図３５】
2007093636.tif 000038
【図３６】
2007093636.tif 000039